(57)【要約】  原材料を破砕する破砕機と、記破砕機の下流側に配置されて当該破砕機で破砕された破砕物を排出する排出コンベアと、少なくとも破砕機および排出コンベアの駆動源であるエンジン（４９）と、エンジン（４９）の回転数を制御する燃料噴射量制御手段（７１１）と、破砕機での破砕物の負荷の変化を判定する破砕機圧力センサ（５７）と、排出コンベアでの排出途中の破砕物の有無を判定する圧力センサ（５１）とを備え、破砕機圧力センサ（５７）が破砕機の負荷が減少していると判定し、かつ圧力センサ（５１）が排出コンベアに破砕物が無いと判定すると、燃料噴射量制御手段（７１１）は、エンジン（４９）の回転数をデセル回転数に下げる構成とした。
2009145033.tif 000002
【特許請求の範囲】
【請求項１】
原材料を破砕する破砕機と、
前記破砕機の下流側に配置されて当該破砕機で破砕された破砕物を排出する排出コンベアと、
少なくとも前記破砕機および排出コンベアの駆動源であるエンジンと、
前記エンジンの回転数を制御するエンジン制御手段と、
前記破砕機での破砕物の負荷の変化を判定する負荷変化率判定手段と、
前記排出コンベアでの排出途中の破砕物の有無を判定する破砕物判定手段とを備え、
前記負荷変化率判定手段が前記破砕機の負荷が減少していると判定し、かつ前記破砕物判定手段が前記排出コンベアに破砕物が無いと判定すると、前記エンジン制御手段は、前記エンジンの回転数をデセル回転数に下げる
ことを特徴とする自走式破砕機。
【請求項２】
請求項１に記載の自走式破砕機において、
前記破砕機よりも上流側に配置され前記エンジンを駆動源とする作業機と、
前記作業機での原材料の有無を判定する原材料判定手段と、
前記破砕機、排出コンベア、および作業機の停止、起動、作業機速度を制御する作業機速度制御手段と、を更に備え、
前記エンジン制御手段が前記エンジンの回転数をデセル回転数に下げる場合、前記作業機速度制御手段は、前記破砕機、排出コンベア、作業機を停止、または作業時の速度から減速する
ことを特徴とする自走式破砕機。
【請求項３】
請求項１に記載の自走式破砕機において、
前記破砕機よりも上流側に配置され前記エンジンを駆動源とする作業機と、
前記作業機での原材料の有無を判定する原材料判定手段と、を更に備え、
前記エンジンの回転数がデセル回転数である場合に前記原材料判定手段が前記作業機に原材料が有ると判定すると、前記エンジン制御手段は前記エンジンの回転数を前記デセル回転数から作業時のエンジン回転数に上げる
ことを特徴とする自走式破砕機。
【請求項４】
請求項１に記載の自走式破砕機において、
前記破砕物判定手段は、前記排出コンベアを駆動する油圧モータの負荷圧力を計測する圧力センサを有し、計測された前記油圧モータの負荷圧力の偏差が所定値より小さい場合、前記排出コンベアに破砕物が無いと判定する
ことを特徴とする自走式破砕機。
【請求項５】
請求項２または請求項３に記載の自走式破砕機において、
前記破砕物判定手段は、前記排出コンベアを駆動する油圧モータの負荷圧力を計測する圧力センサを有し、
前記作業機に設けられた原材料判定手段は、前記作業機の上下動の変位を検出する加速度センサ、前記作業機に原材料が投入されたか否かを検知する光電センサ、または前記圧力センサとは別の前記作業機を駆動する油圧モータの負荷圧力を計測する圧力センサである
ことを特徴とする自走式破砕機。
【請求項６】
原材料を破砕する破砕機と、
前記破砕機の下流側に配置されて当該破砕機で破砕された破砕物を排出する排出コンベアと、
前記破砕機よりも上流側に配置される作業機と、
前記破砕機、排出コンベア、および作業機の駆動源であるエンジンと、
前記エンジンの回転数を制御するエンジン制御手段と、
前記排出コンベアでの排出途中の破砕物の有無を判定する破砕物判定手段と、
前記作業機での原材料の有無を判定する原材料判定手段と、
前記破砕機、排出コンベア、および作業機の停止、起動、作業機速度を制御する作業機速度制御手段とを備え、
前記破砕物判定手段が前記排出コンベアに破砕物が無いと判定した場合に、前記エンジン制御手段は、前記エンジンの回転数をデセル回転数に下げて、前記作業機速度制御手段は、前記破砕機、排出コンベア、および作業機を停止、または作業時の速度から減速し、
前記エンジンの回転数がデセル回転数に制御されている場合に前記原材料判定手段が前記作業機に原材料が有ると判定すると、前記エンジン制御手段は、前記エンジンの回転数を前記デセル回転数から作業時のエンジン回転数に上げて、前記作業機速度制御手段は、前記破砕機、排出コンベア、および作業機を起動、または作業時の速度に増速する
ことを特徴とする自走式破砕機。
【請求項７】
原材料を破砕する破砕機と、
前記破砕機の下流側に配置されて当該破砕機で破砕された破砕物を排出する排出コンベアと、
前記破砕機よりも上流側に配置される作業機と、
前記破砕機、排出コンベア、および作業機の駆動源であるエンジンと、
前記エンジンの回転数を制御するエンジン制御手段と、
前記排出コンベアでの排出途中の破砕物の有無を判定する破砕物判定手段と、
前記作業機での原材料の有無を判定する原材料判定手段とを備え、
前記破砕物判定手段が前記排出コンベアに破砕物が無いと判定した場合に前記エンジン制御手段は、前記エンジンの回転数をデセル回転数に下げ、
前記エンジンの回転数がデセル回転数である場合に前記原材料判定手段が前記作業機に原材料が有ると判定すると、前記エンジン制御手段は、前記エンジンの回転数を前記デセル回転数から作業時のエンジン回転数に上げる
ことを特徴とする自走式破砕機。
【請求項８】
原材料を破砕する破砕機と、
前記破砕機の下流側に配置されて当該破砕機で破砕された破砕物を排出する排出コンベアと、
前記破砕機と排出コンベアの駆動源であるエンジンと、
前記エンジンの回転数を制御するエンジン制御手段と、
前記破砕機での破砕物の負荷の変化を判定する負荷変化率判定手段と、
前記排出コンベアでの排出途中の破砕物の有無を判定する破砕物判定手段とを備えた自走式破砕機の制御方法であって、
前記負荷変化率判定手段が破砕機における負荷変化率が負の値であると判定する場合に、前記破砕物判定手段は破砕物の有無を判定し、前記排出コンベアに破砕物が無いと判定すると、前記エンジン制御手段は、前記エンジンの回転数を下げる
ことを特徴とする自走式破砕機の制御方法。
【発明の詳細な説明】
【技術分野】
【０００１】
本発明は、自走式破砕機、およびその制御方法に関する。
【背景技術】
【０００２】
従来、原材料を破砕する破砕機が搭載された自走式破砕機が知られている。この自走式破砕機においては、フィーダから搬送された原材料が破砕機にて所定の大きさに破砕され、排出コンベアにて排出されることとなる。この際、フィーダおよび破砕機に原材料の有無、あるいは原材料による負荷を検出する検出手段を設けることで、フィーダおよび破砕機が空転状態（作業機が原材料や破砕物が無いまま運転している状態）となったことを検出し、この空転状態時に制御手段がエンジン回転数をアイドル回転数（デセル回転数）に低下させることで燃料消費量を低減することが知られている（特許文献１）。また、破砕機内の原材料の有無に関わらず、フィーダに積載される原材料の重量に応じて、制御手段が燃料噴射量を制御することが知られている（特許文献２）。
【先行技術文献】
【特許文献】
【０００３】
【特許文献１】特開２０００−１３６７３９号公報
【特許文献２】特開平５−１８４９６８号公報
【発明の概要】
【発明が解決しようとする課題】
【０００４】
しかしながら、特許文献１の自走式破砕機においては、アイドリング状態下で、フィーダ、または破砕機において負荷を検出すると、エンジン回転数はアイドル回転数から定常回転数へ上げるように制御されるが、破砕機の慣性が大きく、定常運転に復帰するのに時間を要するため、完全に復帰する前に原材料が破砕機内へ導入され、駆動トルク不足で破砕装置が停止したり、排出された破砕物の品質が低下するという問題がある。【０００５】
特許文献２においては、フィーダに積載される原材料の重量が減少すると、破砕機での破砕作業が行われているにも関わらず、エンジン出力が低下するため、破砕機の作業量も低下し、破砕作業の効率が低下するという問題がある。【０００６】
本発明の主な目的は、破砕物を確実に排出した後に、エンジン回転数をデセル回転数とし、被破砕物が導入されると、迅速に通常の作業時のエンジン回転数に戻すことができる自走式破砕機、およびその制御方法を提供することにある。
【課題を解決するための手段】
【０００７】
本発明の自走式破砕機は、原材料を破砕する破砕機と、前記破砕機の下流側に配置されて当該破砕機で破砕された破砕物を排出する排出コンベアと、少なくとも前記破砕機および排出コンベアの駆動源であるエンジンと、前記エンジンの回転数を制御するエンジン制御手段と、前記破砕機での破砕物の負荷の変化を判定する負荷変化率判定手段と、前記排出コンベアでの排出途中の破砕物の有無を判定する破砕物判定手段とを備え、前記負荷変化率判定手段が前記破砕機の負荷が減少していると判定し、かつ前記破砕物判定手段が前記排出コンベアに破砕物が無いと判定すると、前記エンジン制御手段は、前記エンジンの回転数をデセル回転数に下げることを特徴とする。【０００８】
本発明によれば、破砕機に負荷変化率判定手段を設けたことで、破砕機内の原材料が破砕されて、破砕機の負荷が減少しているか否かを検出できる。負荷変化率判定手段は、破砕機の負荷が減少していることを検出した後に、破砕物判定手段によって排出コンベア上の破砕物の有無を判定することで、より高精度に破砕物の有無の判定を行なうことができる。従って、的確かつ迅速にエンジン回転数を制御できる。【０００９】
本発明の自走式破砕機は、前記破砕機よりも上流側に配置され前記エンジンを駆動源とする作業機と、前記作業機での原材料の有無を判定する原材料判定手段と、前記破砕機、排出コンベア、および作業機の停止、起動、作業機速度を制御する作業機速度制御手段と、を更に備え、前記エンジン制御手段が前記エンジンの回転数をデセル回転数に下げる場合、前記作業機速度制御手段は、前記破砕機、排出コンベア、作業機を停止、または作業時の速度から減速することが望ましい。
ここで、「上流側」とは、原材料の流れにおける上流側であることをいう。【００１０】
この発明によれば、作業機に原材料判定手段を設けたことで、作業機に原材料が投入されているか否かを検出できる。破砕物判定手段が排出コンベア上に破砕物が無いと判定した場合には、エンジン制御手段は、エンジンの回転数をデセル回転数に落とすことができ、その際、破砕機、排出コンベア、作業機を停止、または作業時の速度から減速することにより、一層の燃費低減をすることができる。【００１１】
本発明の自走式破砕機は、前記破砕機よりも上流側に配置され前記エンジンを駆動源とする作業機と、前記作業機での原材料の有無を判定する原材料判定手段と、を更に備え、前記エンジンの回転数がデセル回転数である場合に前記原材料判定手段が前記作業機に原材料が有ると判定すると、前記エンジン制御手段は前記エンジンの回転数を前記デセル回転数から作業時のエンジン回転数に上げることが望ましい。【００１２】
この発明によれば、作業機に原材料判定手段を設けたことで、作業機に原材料が投入されているか否かを検出でき、エンジンの回転数をデセル回転数に制御されている場合において、原材料判定手段が作業機に原材料が有ると判定すると、エンジン制御手段は、エンジンの回転数がデセル回転数から作業時のエンジン回転数に迅速に上げることができる。【００１３】
本発明の自走式破砕機において、前記破砕物判定手段は、前記排出コンベアを駆動する油圧モータの負荷圧力を計測する圧力センサを有し、計測された前記油圧モータの負荷圧力の偏差が所定値より小さい場合、前記排出コンベアに破砕物が無いと判定することが望ましい。【００１４】
この発明によれば、破砕物判定手段は、排出コンベアを駆動する油圧モータの負荷圧力の偏差（平均値からのズレ）が所定値より小さいときに、排出コンベアに破砕物が無いと判定するので、正確な判定ができる。【００１５】
本発明の自走式破砕機において、前記破砕物判定手段は、前記排出コンベアを駆動する油圧モータの負荷圧力を計測する圧力センサを有し、前記作業機に設けられた原材料判定手段は、前記作業機の上下動の変位を検出する加速度センサ、前記作業機に原材料が投入されたか否かを検知する光電センサ、または前記圧力センサとは別の前記作業機を駆動する油圧モータの負荷圧力を計測する圧力センサであることが望ましい。【００１６】
この発明によれば、作業機に加速度センサ、光電センサ、または圧力センサを取り付けたことで、原材料が投入されたか否かを確実に検出できる。【００１７】
本発明の自走式破砕機は、原材料を破砕する破砕機と、前記破砕機の下流側に配置されて当該破砕機で破砕された破砕物を排出する排出コンベアと、前記破砕機よりも上流側に配置される作業機と、前記破砕機、排出コンベア、および作業機の駆動源であるエンジンと、前記エンジンの回転数を制御するエンジン制御手段と、前記排出コンベアでの排出途中の破砕物の有無を判定する破砕物判定手段と、前記作業機での原材料の有無を判定する原材料判定手段と、前記破砕機、排出コンベア、および作業機の停止、起動、作業機速度を制御する作業機速度制御手段とを備え、前記破砕物判定手段が前記排出コンベアに破砕物が無いと判定した場合に、前記エンジン制御手段は、前記エンジンの回転数をデセル回転数に下げて、前記作業機速度制御手段は、前記破砕機、排出コンベア、および作業機を停止、または作業時の速度から減速し、前記エンジンの回転数がデセル回転数に制御されている場合に前記原材料判定手段が前記作業機に原材料が有ると判定すると、前記エンジン制御手段は、前記エンジンの回転数を前記デセル回転数から作業時のエンジン回転数に上げて、前記作業機速度制御手段は、前記破砕機、排出コンベア、および作業機を起動、または作業時の速度に増速することを特徴とする。【００１８】
本発明の自走式破砕機は、原材料を破砕する破砕機と、前記破砕機の下流側に配置されて当該破砕機で破砕された破砕物を排出する排出コンベアと、前記破砕機よりも上流側に配置される作業機と、前記破砕機、排出コンベア、および作業機の駆動源であるエンジンと、前記エンジンの回転数を制御するエンジン制御手段と、前記排出コンベアでの排出途中の破砕物の有無を判定する破砕物判定手段と、前記作業機での原材料の有無を判定する原材料判定手段とを備え、前記破砕物判定手段が前記排出コンベアに破砕物が無いと判定した場合に前記エンジン制御手段は、前記エンジンの回転数をデセル回転数に下げ、前記エンジンの回転数がデセル回転数である場合に前記原材料判定手段が前記作業機に原材料が有ると判定すると、前記エンジン制御手段は、前記エンジンの回転数を前記デセル回転数から作業時のエンジン回転数に上げることを特徴とする。【００１９】
これらの発明によれば、排出コンベアに破砕物が無いと判定するとエンジン等を低燃費状態とし、その状態で破砕機の上流にある作業機に原材料が有ると判定すると低燃費状態を解除できる。【００２０】
本発明の自走式破砕機の制御方法は、原材料を破砕する破砕機と、前記破砕機の下流側に配置されて当該破砕機で破砕された破砕物を排出する排出コンベアと、前記破砕機と排出コンベアの駆動源であるエンジンと、前記エンジンの回転数を制御するエンジン制御手段と、前記破砕機での破砕物の負荷の変化を判定する負荷変化率判定手段と、前記排出コンベアでの排出途中の破砕物の有無を判定する破砕物判定手段とを備えた自走式破砕機の制御方法であって、前記負荷変化率判定手段が破砕機における負荷変化率が負の値であると判定する場合に、前記破砕物判定手段は破砕物の有無を判定し、前記排出コンベアに破砕物が無いと判定すると、前記エンジン制御手段は、前記エンジンの回転数を下げることを特徴とする。【００２１】
本発明によれば、破砕機に設けた負荷変化率判定手段にて、破砕機の負荷を検出して、破砕機内の原材料が減少していることを判定してから、排出コンベアでの破砕物の有無を判断しているので、的確にエンジン回転数を制御できる。
【図面の簡単な説明】
【００２２】
【図１】本発明の第１実施形態に係る自走式破砕機の側面図。
【図２】前記第１実施形態に係る油圧回路図。
【図３】前記第１実施形態に係るブロック図。
【図４】前記第１実施形態に係るフローチャート。
【図５】本発明の前記第２実施形態に係る油圧回路図。
【図６】前記第２実施形態に係るブロック図。
【図７】前記第２実施形態に係るフローチャート。
【図８】本発明の第３実施形態に係るフローチャート。
【図９】本発明の第４実施形態に係る自走式破砕機の平面図。
【図１０】前記第４実施形態に係る自走式破砕機の正面図。
【図１１】前記第４実施形態に係る油圧回路図。
【図１２】前記第４実施形態に係るブロック図。
【図１３】前記第４実施形態に係るフローチャート。
【図１４】本発明の第５実施形態に係る要部を示す図。
【図１５】本発明の第６実施形態に係るコントロールユニットを示す図。
【図１６】前記第６実施形態に係るブロック図。
【図１７】前記第６実施形態に係るフローチャート。
【発明を実施するための形態】
【００２３】
以下、本発明の実施形態を図面に基づいて説明する。なお、後述する第２実施形態以降で、以下に説明する第１実施形態での構成と同じか、または同様な機能を有する構成には同一符号を付し、その説明を簡単にあるいは省略する。
【００２４】
[第１実施形態]
以下、本発明の第１実施形態を図面に基づいて説明する。
図１は、本実施形態での自走式破砕機１を示す側面図である。この自走式破砕機１は、油圧ショベルやホイールローダ等の積込機により投入された原材料を破砕し、一定粒度の破砕物を製造するものである。
【００２５】
自走式破砕機１は、一対の下部走行体１１（一つのみ図示）を備えた本体部ユニット１０と、本体部ユニット１０上の後方側（図１中の左方向）に搭載されて原材料が供給される供給部ユニット２０と、供給部ユニット２０の前方側（図１中の右方向）に搭載された破砕機３０と、破砕機３０のさらに前方側に搭載されたパワーユニット４０と、本体部ユニット１０の下方で一対のクローラ１５間から前方斜め上方に向かって延出した排出コンベア５０と、この排出コンベア５０や他の作業機の駆動制御を行うコントローラ７０とで構成されている。
【００２６】
本体部ユニット１０は、下部側に下部走行体１１を備えている。下部走行体１１は、前部の油圧モータ１２で駆動されるスプロケット１３と後部のアイドラー１４とにクローラ１５を巻回させた構成である。
【００２７】
供給部ユニット２０では、後方に迫り出した左右の側方フレーム２１の上部に、図示しない複数のスプリングを介して作業機としてのグリズリフィーダ２２が載置され、このグリズリフィーダ２２が振動装置２３で駆動される。グリズリフィーダ２２の上部には、その周囲の三方を囲うようにホッパ２４が設けられ、上方に向かって拡開したこのホッパ２４内に原材料が投入される。また、グリズリフィーダ２２の下部には、ズリ用シュータ２５が設けられている。ズリ用シュータ２５は、グリズリフィーダ２２で選別されて落下する未破砕の原材料を破砕機３０の上流側で分岐された位置に配置されるズリ出しコンベア２６に導くためのものである。
【００２８】
グリズリフィーダ２２には、原材料の有無を判定する原材料判定手段としての加速度センサ２７（図１での破線部分）が取り付けられている。ホッパ２４内に原材料が投入されると、グリズリフィーダ２２は、下部に設けられた図示しないスプリングの付勢力に抗して下降し、上下に振動する。この振動による変位を加速度センサ２７が加速度Ａとして検出し、電気信号を出力する。
【００２９】
破砕機３０は、固定ジョー３１およびスイングジョー３２を備えたジョークラッシャであり、メインシャフト３３の一端に設けられたプーリ３４をＶベルトを介して油圧モータ３５で駆動すると、メインシャフト３３の回転によりスイングジョー３２が揺動リンクとして機能し、固定ジョー３１との間で原材料を破砕する。
【００３０】
パワーユニット４０は、図２に示す自走式破砕機１の油圧回路図を参照すると、エンジン４９、エンジン４９で駆動される可変容量型の油圧ポンプ５２，５３、燃料タンク、および作動油タンク５４等を備えている。エンジン４９には、コントローラ７０と電気的に接続される図示しない燃料噴射装置が設けられ、燃料ダイヤル９１でセットされたエンジン回転数の設定信号に基づく燃料噴射信号がコントローラ７０から図示しない燃料噴射装置に出力され、エンジン４９が駆動される。そして、本実施形態では、エンジン４９の回転数が、燃料ダイヤル９１の設定によって制御されるだけでなく、排出コンベア５０に設けられた油圧モータ５５の負荷圧力値Ｐ１およびグリズリフィーダ２２の加速度Ａに応じて制御される。
【００３１】
油圧ポンプ５２からの作動油は、コントロールバルブ１１１，１１６を介して、下部走行体１１の油圧モータ１２、破砕機３０の油圧モータ３５に供給され、右走行レバー１６が設けられた方向切替え装置１８を介して、作用するパイロット圧により、コントロールバルブ１１１が作動する。破砕機３０の油圧モータ３５には、破砕機３０の負荷を検出し、負荷の変化を判定する負荷変化率判定手段を構成する破砕機圧力センサ５７が設けられる。
【００３２】
また、油圧ポンプ５３からの油圧は、コントロールバルブ１１１〜１１５を介して、下部走行体１１の油圧モータ１２、排出コンベア５０の油圧モータ５５、グリズリフィーダ２２に設けられた振動装置２３の油圧モータ２９、磁力選別機（磁選機）６０の油圧モータ６１、ズリ出しコンベア２６の油圧モータ３６に作用され、左走行レバー１７が設けられた方向切替え装置１８を介して、コントロールバルブ１１１にパイロット圧として作用される。コントロールバルブ１１１〜１１６へのパイロット圧の電磁比例制御により、各油圧モータ１２，２９，３５，３６，５５，６１へ供給する作動油の流量が制御される。換言すると、コントロールバルブ１１１〜１１６は、方向切替えと流量制御の２つの機能を有している。
【００３３】
排出コンベア５０は、破砕機３０の出口から落下した破砕物を前方に排出し、高所から落下させて堆積等させるものである。また、排出コンベア上の破砕物の中に鉄筋や金属片等の異物が含まれる場合には、排出コンベア５０の前部側に設けられた磁選機６０により、この異物を取り除くことも可能である。このような排出コンベア５０には、油圧モータ５５の負荷圧力値Ｐ１を検出し、破砕物の有無を判定する破砕物判定手段としての圧力センサ５１が設けられている。この負荷圧力値Ｐ１は、排出コンベア５０に積載される破砕物の積載量に応じて変動する。
【００３４】
さらに、図２に示すように、自走式破砕機１は、操作盤等に設けられた操作パネル７３を備えている。この操作パネル７３は、エンジン起動ＳＷ１０１と、モード切換ＳＷ１０２と、走行圧力ＳＷ１０３と、各作業機ＯＮ−ＯＦＦスイッチ（ＳＷ）群１００とを備えているとともに、電気的にコントローラ７０に接続されている。
【００３５】
各作業機ＳＷ群１００には、フィーダ起動ＳＷ１０４、ズリ出しコンベア起動ＳＷ１０５、破砕機起動ＳＷ１０６、排出コンベア起動ＳＷ１０７、および磁選機起動ＳＷ１０８が設けられ、各作業機ＳＷ群１００からの各電気信号がコントローラ７０に入力される。
【００３６】
また、コントローラ７０には、加速度センサ２７、圧力センサ５１、およびエンジン４９の回転数を設定しておく燃料ダイヤル９１が電気的に接続され、各センサ２７，５１、および燃料ダイヤル９１からの信号が入力される。
【００３７】
図３に示すコントローラ７０のブロック図を参照すると、コントローラ７０は、ＣＰＵ（Central Processing Unit）を搭載し、エンジン制御部７１と、作業機制御部７２とを備えている。エンジン制御部７１は、コンピュータプログラム等のソフトウェアで構成されたエンジン制御手段としての燃料噴射量制御手段７１１と、エンジン起動判定手段７１２と、メモリ７１３とを備えている。メモリ７１３には、エンジンをデセル状態（エンジン回転数を下げた低燃費での動作状態）で駆動するためのデセル回転数ω０が記憶されているとともに、燃料ダイヤル９１で設定されたエンジン回転数がセット（記憶）される。
【００３８】
作業機制御部７２は、コンピュータプログラム等のソフトウェアで構成されたモード判定手段７２１と、走行圧力判定手段７２２と、作業機稼働状態判定手段７２３と、圧力比較手段７２４と、加速度比較手段７２５と、メモリ７２６と、破砕機負荷率計算手段７３０と、破砕機負荷率比較手段７３１とを備えている。メモリ７２６には、破砕物が排出コンベア５０に積載されていないときの油圧モータ５５の最小圧力値Ｐ０、および原材料が投入されていないときのグリズリフィーダ２２の最小加速度Ａ０（振動装置２３の振動により生じる加速度）が記憶されている。なお、コントローラ７０のＣＰＵは、各制御部７１，７２の各手段７１１，７１２，７２１〜７２５，７３０，７３１の実行等を行うものである。なお、本発明に係る原材料判定手段は、加速度比較手段７２５を含み、破砕物判定手段は、圧力比較手段７２４を含むものである。また、本発明に係る負荷変化率判定手段は、破砕機圧力センサ５７、破砕機負荷率計算手段７３０、および破砕機負荷率比較手段７３１を含むものである。
【００３９】
次に各制御部７１，７２の各手段７１１〜７１３，７２１〜７２６，７３０，７３１の機能について、図４に示す原材料や破砕物の有無に応じて、自走式破砕機１のエンジン回転数を制御するフローも参照しながら説明する。
まず、オペレータは、燃料ダイヤル９１を用いて、作業モード用のエンジン４９の回転数を設定し、エンジン起動ＳＷ１０１にてエンジンを起動し、各作業機２２，２６，３０，５０，６０を起動できる状態にする。この状態では、燃料ダイヤル９１での設定値がメモリ７１３に記憶されるとともに、この設定値がエンジン制御部７１の燃料噴射量制御手段７１１に入力される（Ｓ１）。燃料噴射量制御手段７１１からは設定信号に基づく燃料噴射信号が燃料噴射装置に出力され、この燃料噴射信号に基づいて噴射される燃料でエンジン４９が駆動される。そして、エンジン起動判定手段７１２は、エンジン起動ＳＷ１０１がＯＮまたはＯＦＦであるかを判定し、エンジン起動ＳＷ１０１がＯＮである場合には、作業機制御部７２のモード判定手段７２１に起動信号を出力する（Ｓ２）。
【００４０】
モード判定手段７２１は、エンジン起動判定手段７１２から起動信号が入力されると、モード切換ＳＷ１０２が走行モード、作業モード、または点検モードのいずれのポジションであるかを判定し、各モードに応じた信号を出力する。具体的には、モード判定手段７２１は、モード切換ＳＷ１０２のポジションから走行モードであると判定すると、走行モード信号を走行圧力判定手段７２２に出力し、作業モードまたは点検モードにあると判定した場合には、作業モード信号または点検モード信号を作業機稼働状態判定手段７２３に出力する（Ｓ３）。次に各モードに応じたフローを説明する。
【００４１】
（走行モード）
走行圧力判定手段７２２は、モード判定手段７２１より走行モード信号が入力されると、走行圧力ＳＷ１０３から左前進、左後進、右前進、および右後進の少なくともいずれかに関する信号入力があるか否かを判定し、走行形態に応じた走行判定信号をエンジン制御部７１の燃料噴射量制御手段７１１に出力する（Ｓ４）。
【００４２】
燃料噴射量制御手段７１１は、いずれかの走行形態の走行判定信号が入力されると、燃料ダイヤル９１より設定されたエンジン回転数の設定値をメモリ７１３から読み出し、エンジン４９に噴射する燃料噴射量を決定して、エンジン４９を駆動する（Ｓ５）。この後は、前述のステップＳ１〜Ｓ５が繰り返される。一方、燃料噴射量制御手段７１１は、Ｓ４において、いずれの走行も行われていないという走行判定信号が入力されると、メモリ７１３よりデセル回転数ω０を読み出し、エンジン４９に噴射する燃料噴射量を制御する（Ｓ６）。この後は、前述のステップＳ２〜Ｓ４，Ｓ６が繰り返される。デセル回転数ω０は、エンジン回転数の設定値（作業時のエンジン回転数）よりも小さい。
【００４３】
（作業モード）
作業機制御部７２の作業機稼働状態判定手段７２３は、モード判定手段７２１より作業モード信号が入力されると、フィーダ起動ＳＷ１０４、ズリ出しコンベア起動ＳＷ１０５、破砕機起動ＳＷ１０６、排出コンベア起動ＳＷ１０７、および磁選機起動ＳＷ１０８がＯＮまたはＯＦＦであるかを判定する（Ｓ７）。判定の結果、各作業機２２，２６，３０，５０，６０のいずれも稼働していない場合に、作業機稼働状態判定手段７２３は、無稼働信号をエンジン制御部７１の燃料噴射量制御手段７１１に出力する（Ｓ７）。燃料噴射量制御手段７１１は、無稼働信号が入力されると、メモリ７１３よりデセル回転数ω０を読み出し、エンジン４９に噴射する燃料噴射量を少なめに制御する（Ｓ６）。
【００４４】
また判定の結果、各作業機２２，２６，３０，５０，６０の少なくとも一つでも稼働している場合には、作業機稼働状態判定手段７２３は、いずれの作業機２２，２６，３０，５０，６０が稼働しているかを判定し、グリズリフィーダ２２、破砕機３０、および排出コンベア５０の全てが稼働していると判定した場合には、全稼働信号を圧力比較手段７２４に出力し、それ以外の場合には、部分稼働信号をエンジン制御部７１の燃料噴射量制御手段７１１に出力する（Ｓ８）。
【００４５】
全稼働信号が入力されると、破砕機圧力センサ５７は、破砕機３０の油圧モータ３５の負荷圧力値を常時、検出する。破砕機負荷率計算手段７３０は、検出された負荷圧力値信号が入力されると、負荷圧力値を時間微分し、負荷変化率を算出する。次に、破砕機負荷比較手段７３１は、油圧モータ３５の負荷圧力値が所定値となった時に、破砕機負荷率計算手段７３０にて算出された負荷変化率の正負を判定する。ここで、負荷圧力値の所定値とは、破砕機３０内に原材料がわずかに存在する時に破砕機圧力センサ５７にて検出される値である。
そして、負荷変化率が正の値または０（ゼロ）である場合には、ステップＳ５に進み、負荷変化率が負の値である場合には、ステップＳ１０に進む。
【００４６】
圧力比較手段７２４は、破砕機負荷比較手段７３１にて負荷変化率が負の値であると、判定されると、圧力センサ５１により排出コンベア５０の油圧モータ５５の負荷圧力値Ｐ１を一定時間監視することを繰り返し、この負荷圧力値Ｐ１とメモリ７２６に記憶されている最小圧力値Ｐ０とを比較する（Ｓ１０）。ここで、「一定時間」とは、原材料がホッパ２４に投入され、破砕機３０で破砕され、排出コンベア５０から破砕物が排出される一連の作業時間以上の時間をいい、以下の説明で使用する場合も同じ意味である。次いで、圧力比較手段７２４により、負荷圧力値Ｐ１が最小圧力値Ｐ０より大きいと判定された場合には、排出コンベア５０上に破砕物が積載されている状態であり、エンジン制御部７１の燃料噴射量制御手段７１１は、エンジン４９を燃料ダイヤル９１で設定されたエンジン回転数で駆動するよう、燃料噴射量を制御する（Ｓ５）。この後は、前述のステップＳ１〜Ｓ３，Ｓ７〜Ｓ９，Ｓ５が繰り返される。
【００４７】
一方、Ｓ９にて圧力比較手段７２４により、一定時間、負荷圧力値Ｐ１が最小圧力値Ｐ０以下と判定された場合には、排出コンベア５０上に破砕物が積載されていない状態であり、エンジン制御部７１の燃料噴射量制御手段７１１は、メモリ７１３よりデセル回転数ω０を読み出し、エンジン４９に噴射する燃料噴射量を少なく制御する（Ｓ１１）。なお、デセル回転数ω０とは、自走式破砕機を低燃費での動作状態とするエンジン回転数である。これにより、エンジン４９は、デセル回転数ω０にて駆動されるので、燃料噴射量の使用量を低減できる。
【００４８】
次に、加速度比較手段７２５は、グリズリフィーダ２２の加速度Ａを加速度センサ２７にて一定時間監視することを繰り返し、この加速度Ａとメモリ７２６に記憶されている最小加速度Ａ０とを比較する（Ｓ１２）。加速度比較手段７２５により、加速度Ａが最小加速度Ａ０より小さいと判定された場合には、グリズリフィーダ２２に原材料が投入されていない状態であり、燃料噴射量制御手段７１１は、エンジン４９に噴射する燃料噴射量を制御することで、デセル回転数ω０を維持し（Ｓ１３）、前述のステップＳ２，Ｓ３，Ｓ７〜Ｓ１３が繰り返される。
【００４９】
これに対して、加速度比較手段７２５により、加速度Ａが最小加速度Ａ０より大きいと判定された場合には、グリズリフィーダ２２への原材料の投入が再開されている状態であり、前述のステップＳ１〜Ｓ３，Ｓ７〜Ｓ１１が繰り返される。すなわち、グリズリフィーダ２２に原材料が投入されたことを確実に判定でき、エンジン回転数を元に戻す制御を自動的にできる。
【００５０】
ところで、Ｓ８にて、作業機稼働状態判定手段７２３が部分稼働信号を燃料噴射量制御手段７１１に出力した場合には、燃料噴射量制御手段７１１は、燃料ダイヤル９１にて設定されたエンジン回転数でエンジン４９を駆動するよう燃料噴射量を制御する（Ｓ５）。この後は、前述のステップＳ１〜Ｓ３，Ｓ７，Ｓ８，Ｓ５が繰り返される。
【００５１】
（点検モード）
Ｓ３において、モード判定手段７２１より点検モード信号であると判断されると、作業機稼働状態判定手段７２３は、各作業機２２，２６，３０，５０，６０の稼働状態を判定し、全作業機２２，２６，３０，５０，６０が稼働していない場合には、無稼働信号を燃料噴射量制御手段７１１に出力し、各作業機２２，２６，３０，５０，６０の少なくとも一つでも稼働している場合には、部分稼働信号を燃料噴射量制御手段７１１に出力する（Ｓ１４）。
【００５２】
そして、燃料噴射量制御手段７１１は、無稼働信号が入力されると、メモリ７１３よりデセル回転数ω０を読み出し、エンジン４９に噴射する燃料噴射量を少なく制御する（Ｓ６）。この後は、前述のステップＳ２，Ｓ３，Ｓ１３，Ｓ６が繰り返される。また、燃料噴射量制御手段７１１は、部分稼働信号が入力されると、燃料ダイヤル９１にて設定されたエンジン回転数を読み出し、この回転数に応じた燃料噴射量を供給してエンジン４９を駆動する（Ｓ５）。この後は、前述のステップＳ１〜Ｓ３，Ｓ１３，Ｓ５が繰り返される。
【００５３】
本実施形態によれば、排出コンベア５０の油圧モータ５５の負荷圧力値Ｐ１を圧力センサ５１にて検出するため、負荷圧力値Ｐ１が最小圧力値Ｐ０より小さい場合には、破砕物が排出コンベア５０に搭載されていないと判断できる。従って、この後にエンジン回転数をデセル回転数ω０に設定することで、排出コンベア５０に破砕物が積載されているにもかかわらず、エンジン４９がデセル回転数ω０で運転されるのを防止できる。また、排出コンベア５０に破砕物が無い場合には、全ての作業機２２，２６，３０，５０，６０に原材料や破砕物が存在していないと判断されるから、全ての作業機２２，２６，３０，５０，６０を減速または停止できて、エンジン４９を燃料ダイヤル９１にて設定された作業モード用のエンジン回転数で運転する必要がなく、燃料消費量を確実に低減できる。
さらに、デセル回転数状態においては、加速度センサ２７にて加速度Ａを検出するので、グリズリフィーダ２２に原材料が投入されたことを確実に判定でき、この判定に基づいてエンジン回転数を元に戻す制御を自動的にできる。
【００５４】
また、排出コンベア５０の機器の種類によっては、圧力センサ５１の検出する負荷圧力値Ｐ１の変動が、破砕物の有無とは関係なく大きくなってしまい、圧力センサ５１の負荷圧力値Ｐ１のみの検出では、破砕物の有無を誤認するおそれがある。このような場合においても、破砕機３０の破砕機圧力センサ５７にて負荷圧力値を検出し、負荷変化率を算出することと、排出コンベア５０の負荷圧力値Ｐ１の検出とを併せて判断することにより、的確に排出コンベア５０上の破砕物の有無を判断できる。
【００５５】
[第２実施形態]
図５は、本実施形態での自走式破砕機１の油圧回路図であり、図６、７は第２実施形態でのコントローラ７０のブロック図およびフローである。本実施形態の作業モードにおいては、原材料や破砕物の有無に応じてエンジン回転数をデセル回転数ω０に制御することはなく、エンジン４９は、常に燃料ダイヤル９１で設定したエンジン回転数にて駆動される。一方、図５に示すように、コントローラ７０からは、油圧ポンプ５２，５３の斜板５２Ａ，５３Ａの角度（傾転角）を制御する指令が出力されており、これによって、油圧ポンプ５２，５３の吐出流量が制御され、各作業機２２，２６，３０，５０，６０の油圧モータ２９，３５，３６，５５，６１のモータ回転数ωが制御される。
【００５６】
図６に示すように、コントローラ７０の作業機制御部７２には、燃料ダイヤル９１にて作業モード用に設定されたエンジン回転数および所望のモータ回転数に基づいて、油圧ポンプ５２，５３の斜板５２Ａ，５３Ａの角度（傾転角）を調整し、吐出流量を制御することで全ての作業機２２，２６，３０，５０，６０の停止、起動、作業機速度を制御する作業機速度制御手段としての吐出流量制御手段７２７が設けられている。メモリ７２６には、第１実施形態での最小圧力値Ｐ０、最小加速度Ａ０に加えて、油圧モータ２９，３５，３６，５５，６１を停止させる油圧ポンプ５２，５３の吐出流量Ｑ（値は０）が記憶されている。
【００５７】
吐出流量制御手段７２７は、負荷圧力値Ｐ１と最小圧力値Ｐ０との比較結果、および加速度Ａと最小加速度Ａ０との比較結果に応じて、メモリ７２６より吐出流量Ｑを読み出し、油圧ポンプ５２，５３の斜板５２Ａ，５３Ａの角度（傾転角）を調整し、各油圧モータ２９，３５，３６，５５，６１のモータ回転数を制御するものである。その他の構成は、第１実施形態と同じであるため、ここでの説明は省略する。
【００５８】
次に図７に示すフローを参照し、第１実施形態と異なるフローについてのみ説明する。
まず、オペレータは、燃料ダイヤル９１を用いてエンジン４９の作業モード時のエンジン回転数を設定し、これにより、各作業機２２，２６，３０，５０，６０の油圧モータ２９，３５，３６，５５，６１には、作業モード時のモータ回転数ωが設定される。そして、エンジン起動ＳＷ１０１にてエンジンを起動し、各作業機２２，２６，３０，５０，６０を起動できる状態にする。
【００５９】
この状態では、燃料ダイヤル９１での設定値が燃料噴射量制御手段７１１に入力されて所望するエンジン回転数としてセットされ、一方、吐出流量制御手段７２７には、作業モード時に必要な各油圧モータ２９，３５，３６，５５，６１のモータ回転数ωとして、予め設定された設定値がセットされる（Ｓ２１）。そして、吐出流量制御手段７２７は、このモータ回転数ωと前記エンジン回転数とにより、油圧ポンプ５２，５３の吐出流量を決定し、斜板５２Ａ，５３Ａの角度（傾転角）を制御し、各作業機２２，２６，３０，５０，６０の各油圧モータ２９，３５，３６，５５，６１を作業時でのモータ回転数ωで駆動する。このようにして、各作業機２２，２６，３０，５０，６０は、作業時の速度で動作する。
【００６０】
Ｓ７において、作業機稼働状態判定手段７２３は、作業機２２，２６，３０，５０，６０の少なくとも一つでも稼働していることを判定した後、グリズリフィーダ２２、破砕機３０、および排出コンベア５０の全てが稼働しているか否かを判定する。作業機稼働状態判定手段７２３は、全てが稼働していると判定する場合、全稼働信号を圧力比較手段７２４に出力し、それ以外の場合には、部分稼働信号を燃料噴射量制御手段７１１に出力する（Ｓ２２）。
【００６１】
圧力比較手段７２４は、全稼働信号が入力されると、圧力センサ５１から排出コンベア５０の油圧モータ５５の負荷圧力値Ｐ１を一定時間検出し、この負荷圧力値Ｐ１とメモリ７２６に記憶されている最小圧力値Ｐ０とを比較する（Ｓ２３）。圧力比較手段７２４は負荷圧力値Ｐ１が最小圧力値Ｐ０より大きいと判定した場合には、排出コンベア５０上に破砕物が積載されている状態であり、エンジン制御部７１の燃料噴射量制御手段７１１は、エンジン４９を燃料ダイヤル９１で設定されたエンジン回転数で駆動し、各油圧モータ２９，３５，３６，５５，６１を作業時でのモータ回転数ωで駆動する（Ｓ２４）。この後は、前述のステップＳ２１，Ｓ２，Ｓ３，Ｓ７，Ｓ２２，Ｓ２４が繰り返される。
【００６２】
一方、圧力比較手段７２４は、負荷圧力値Ｐ１が一定時間、最小圧力値Ｐ０以下と判定した場合には、排出コンベア５０上に破砕物が積載されていない状態であり、吐出流量制御手段７２７は、メモリ７２６より油圧ポンプ５２，５３の吐出流量Ｑを読み出し、斜板５２Ａ，５３Ａの角度（傾転角）を変更して油圧ポンプ５２，５３の吐出流量を０にすることで、各油圧モータ２９，３５，３６，５５，６１を停止させる（Ｓ２５）。これにより、排出コンベア５０上に破砕物が積載されていない場合には、各作業機２２，２６，３０，５０，６０を停止でき、エンジン４９は、略無負荷の油圧ポンプ５２，５３を駆動するだけなので、燃料消費量を低減できる。また、各油圧モータ２９，３５，３６，５５，６１を停止させずに、作業時でのモータ回転数ωを低くしても、相応の効果を得ることができる。
【００６３】
次に、加速度比較手段７２５は、加速度センサ２７からグリズリフィーダ２２の加速度Ａを一定時間検出し、この加速度Ａとメモリ７２６に記憶されている最小加速度Ａ０とを比較する（Ｓ２６）。加速度比較手段７２５は、加速度Ａが最小加速度Ａ０より小さいと判定した場合には、グリズリフィーダ２２に原材料が投入されていない状態であり、吐出流量制御手段７２７は、油圧ポンプ５２，５３の吐出流量を０のままにして、各油圧モータ２９，３５，３６，５５，６１の停止を維持し（Ｓ２７）、前述のステップＳ２，Ｓ３，Ｓ７，Ｓ２２，Ｓ２３，Ｓ２５〜Ｓ２７が繰り返される。
【００６４】
また、Ｓ２６にて加速度比較手段７２５により、最小加速度Ａ０より大きいと判定された場合には、グリズリフィーダ２２への原材料の投入が再開された状態であり、燃料噴射量制御手段７１１は、燃料ダイヤル９１で設定されたエンジン回転数の燃料噴射信号を燃料噴射装置に出力し、この燃料噴射信号に基づいて噴射される燃料でエンジン４９を駆動する。そして、吐出流量制御手段７２７は、予め設定された設定値であるモータ回転数ωと設定されたエンジン回転数とにより、油圧ポンプ５２，５３の吐出流量を決定し、斜板５２Ａ，５３Ａの角度を制御する（Ｓ２１）。これにより、そして、前述のステップＳ２，Ｓ３，Ｓ７，Ｓ２２，Ｓ２３，Ｓ２５，Ｓ２６，Ｓ２１が繰り返される。すなわち、グリズリフィーダ２２に原材料が投入された場合には、各作業機２２，２６，３０，５０，６０を自動的に作業時のモータ回転数ωで再起動でき、オペレータの作業効率を向上させることができる。
【００６５】
ところで、Ｓ２２にて、作業機稼働状態判定手段７２３が部分稼働信号を燃料噴射量制御手段７１１に出力した場合には、燃料噴射量制御手段７１１は、燃料ダイヤル９１にて設定されたエンジン回転数の燃料噴射量をエンジン４９に噴射するように制御し、吐出流量制御手段７２７は、油圧ポンプ５２，５３の吐出流量を決定し、斜板５２Ａ，５３Ａの角度（傾転角）を制御する。これより、各油圧モータ２９，３５，３６，５５，６１を作業時のモータ回転数ωで駆動する（Ｓ２４）。この後は、前述のステップＳ２１，Ｓ２，Ｓ３，Ｓ７，Ｓ２２，Ｓ２４が繰り返される。
【００６６】
本実施形態によれば、排出コンベア５０上の破砕物の有無に応じて、吐出流量制御手段７２７が油圧ポンプ５２，５３の吐出流量を制御するため、各作業機２２，２６，３０，５０，６０が空運転の時には、それらの油圧モータ２７〜２９，３５，５５を停止でき、油圧ポンプ５２，５３を無負荷状態で駆動することにより、エンジン４９での燃料消費量を確実に低減できる。また、各作業機２２，２６，３０，５０，６０を自動的に再起動することで、オペレータの作業効率を向上させることができる。
【００６７】
[第３実施形態]
図８は、第３実施形態でのフローである。
本実施形態では、原材料や破砕物の有無に応じてエンジン回転数および各作業機２２，２６，３０，５０，６０の油圧モータ２９，３５，３６，５５，６１のモータ回転数を制御する。具体的には、作業機速度制御手段としての燃料噴射量制御手段７１１によりエンジン４９をデセル回転数ω０にて駆動し、さらに作業機速度制御手段としての吐出流量制御手段７２７により油圧ポンプ５２，５３の吐出流量、すなわち各作業機２２，２６，３０，５０，６０の油圧モータ２９，３５，３６，５５，６１のモータ回転数を制御する。本実施形態での自走式破砕機１の油圧回路図は、第２実施形態での図５と同じであり、コントローラ７０のブロック図は、第２実施形態での図６と同じである。
【００６８】
本実施形態でも同様に、図８に示すフローを参照し、前記各実施形態と異なるフローについてのみ説明する。
Ｓ３１での判定の結果、圧力比較手段７２４により、負荷圧力値Ｐ１が最小圧力値Ｐ０より大きいと判定された場合には、排出コンベア５０上に破砕物が積載されている状態であり、エンジン制御部７１の燃料噴射量制御手段７１１は、エンジン４９を燃料ダイヤル９１で設定されたエンジン回転数で駆動する（Ｓ３２）。そして、吐出流量制御手段７２７は、油圧ポンプ５２，５３の吐出流量を決定し、斜板５２Ａ，５３Ａの角度を制御する。これにより、各油圧モータ２９，３５，３６，５５，６１を作業時のモータ回転数ωで駆動する（Ｓ３２）。この後は、前述のステップＳ３０，Ｓ２，Ｓ３，Ｓ７，Ｓ８，Ｓ３２が繰り返される。
【００６９】
一方、Ｓ３１にて圧力比較手段７２４により、負荷圧力値Ｐ１が最小圧力値Ｐ０より小さいと判定された場合には、排出コンベア５０上に破砕物が積載されていない状態であり、エンジン制御部７１の燃料噴射量制御手段７１１は、メモリ７１３よりデセル回転数ω０を読み出し、エンジン４９に噴射する燃料噴射量を制御する（Ｓ３３）。また、吐出流量制御手段７２７は、メモリ７２６より吐出流量Ｑ（値は０）を読み出し、油圧ポンプ５２，５３の斜板５２Ａ，５３Ａを調整し、各油圧モータ２９，３５，３６，５５，６１を停止させる（Ｓ３３）。これにより、排出コンベア５０上に破砕物が積載されていない場合には、エンジン４９の回転数を低くできるうえ、各油圧モータ２９，３５，３６，５５，６１を停止でき、燃料消費量をより低減できる。
【００７０】
次に、加速度比較手段７２５は、グリズリフィーダ２２の加速度Ａを加速度センサ２７にて一定時間検出し、この加速度Ａとメモリ７２６に記憶されている最小加速度Ａ０とを比較する（Ｓ３４）。加速度比較手段７２５により、加速度Ａが最小加速度Ａ０より小さいと判定された場合には、グリズリフィーダ２２に原材料が投入されていない状態であり、燃料噴射量制御手段７１１は、エンジン４９に噴射する燃料噴射量を制御することで、デセル回転数ω０を維持し、さらに吐出流量制御手段７２７は、各作業機２２，２６，３０，５０，６０の油圧モータ２９，３５，３６，５５，６１のモータ回転数を停止状態で維持する（Ｓ３５）。この後は、前述のステップＳ３０，Ｓ２，Ｓ３，Ｓ７，Ｓ８，Ｓ３１，Ｓ３３〜Ｓ３５が繰り返される。
【００７１】
また、Ｓ３４にて加速度比較手段７２５により、最小加速度Ａ０より大きいと判定された場合には、グリズリフィーダ２２への原材料の投入が再開された状態であり、燃料噴射量制御手段７１１は、設定されたエンジン回転数を読み出し、エンジン４９に噴射する燃料噴射量を制御する。また、吐出流量制御手段７２７は、油圧ポンプ５２，５３の斜板５２Ａ，５３Ａの角度を制御して、各油圧モータ２９，３５，３６，５５，６１を作業時のモータ回転数ωで駆動する（Ｓ３０）。そして、前述のステップＳ２，Ｓ３，Ｓ７，Ｓ８，Ｓ３１，Ｓ３３，Ｓ３４，Ｓ３０が繰り返される。すなわち、グリズリフィーダ２２に原材料が投入された場合には、各作業機２２，２６，３０，５０，６０を自動的に再起動でき、作業効率を向上させることができる。
【００７２】
本実施形態によれば、排出コンベア５０上の破砕物の有無に応じて、エンジン４９のエンジン回転数がデセル回転数ω０に制御され、かつ吐出流量制御手段７２７により油圧ポンプ５２，５３の吐出流量が制御されるため、エンジン４９をデセル回転数ω０に維持しつつ、各作業機２２，２６，３０，５０，６０の油圧モータ２９，３５，３６，５５，６１を停止できて、燃料消費量を確実に低減できる。一方、加速度センサ２７にてグリズリフィーダ２２に原材料が投入されたことを判定することで、エンジン回転数やモータ回転数を元に戻す制御を自動的にできる。
【００７３】
[第４実施形態]
図９は、本実施形態における自走式破砕機１の平面図であり、図１０は、自走式破砕機１の正面図である。図１１は、本実施形態での自走式破砕機１の油圧回路図である。前記第１〜３実施形態では、原材料判定手段として加速度センサ２７が用いられたが、本実施形態では光電センサ８１が用いられている。
【００７４】
図９，１０に示すように、グリズリフィーダ２２の下方に位置する中央フレーム２８（図９の破線部分）の両端部には、光を発射する投光機８１Ａおよび発射した光を受光する受光機８１Ｂで構成される原材料判定手段としての光電センサ８１が取り付けられ、グリズリフィーダ２２の底面には遮蔽板８２が取り付けられている。ここで、光電センサ８１は、可視光線、赤外線などの光を投光機８１Ａから信号光として発射し、遮蔽板８２によって遮光される光量の変化を受光機８１Ｂで検出することで生成される検出信号を図１１に示すコントローラ７０に出力するものである。すなわち、原材料がホッパ２４内に投入され、グリズリフィーダ２２が下方向に変位すると、投光機８１Ａから発射された光が遮蔽板８２によって遮蔽されることで、コントローラ７０は、光電センサ８１から出力される検出信号に基づいて原材料の有無を判断する。
【００７５】
図１２、図１３のブロック図およびフローを参照し、本実施形態でのフローを説明するが、ここでは第１実施形態と異なるフローについてのみ説明する。図１２での原材料判定手段としての光量判定手段７２８は、光電センサ８１から検出信号が出力されているか否かを判定するものである。その他の構成は、第１実施形態と同じであるため、ここでの説明は省略する。
【００７６】
Ｓ４１にて、光量判定手段７２８は、光電センサ８１から検出信号が入力されているか否かを判定する（Ｓ４１）。光量判定手段７２８により、検出信号が入力されたと判定された場合には、グリズリフィーダ２２への原材料の投入が再開されている状態であり、前述のステップＳ１〜Ｓ３，Ｓ７，Ｓ８，Ｓ１０，Ｓ１１，Ｓ４１が繰り返される。すなわち、グリズリフィーダ２２に原材料が投入されたことを確実に判定でき、エンジン回転数を元に戻す制御を自動的にできる。
【００７７】
一方、光量判定手段７２８により、検出信号が入力されていないと判定された場合には、グリズリフィーダ２２に原材料が投入されていない状態であり、燃料噴射量制御手段７１１は、エンジン４９に噴射する燃料噴射量を制御することで、デセル回転数ω０を維持し（Ｓ１３）、前述のステップＳ２，Ｓ３，Ｓ７，Ｓ８，Ｓ１０，Ｓ１１，Ｓ４１，Ｓ１３が繰り返される。
【００７８】
本実施形態によれば、光電センサ８１を用いることで、原材料が投入された際のグリズリフィーダ２２の下方向への変位を検出し、原材料の有無を確実に検出できるため、第１実施形態と同様に、エンジン回転数を元に戻す制御を自動的に再開できる。
【００７９】
[第５実施形態]
図１４は、本実施形態での要部を示す図である。また、本実施形態での油圧回路図、コントローラ７０のブロック図、およびフローは、第４実施形態での図１１〜１３と同じであるため、図示を省略するとともに、説明も省略する。
本実施形態では、破砕機３０の上流側で分岐された位置に配置される作業機としてのズリ用シュータ２５に原材料判定手段としての光電センサ８１の投受光機８１Ｃが取り付けられている。ズリ用シュータ２５を未破砕の原材料が通過すると、投受光機８１Ｃから投光された光が原材料により反射する光を投受光機８１Ｃが受光することで、光電センサ８１は検出信号を生成し、コントローラ７０に出力する。そして、検出信号により光量判定手段７２８が受信の有無を判定する（図１３でのＳ４１）。光量判定手段７２８が検出信号を受信した場合には、ズリ用シュータ２５を原材料が通過している状態であり、グリズリフィーダ２２に原材料が投入されている状態である。この状態においては、燃料噴射量制御手段７１１は、燃料ダイヤル９１に設定されたエンジン回転数で、エンジン４９を駆動するように燃料噴射量を制御する（図１３でのＳ１）。
【００８０】
本実施形態によれば、グリズリフィーダ２２から未破砕の原材料が排出されているか否かをズリ用シュータ２５に光電センサ８１を取り付けることで検出しているため、グリズリフィーダ２２への原材料の投入の有無を確実に判断できる。従って、第４実施形態と同様の効果を奏することができ、エンジン回転数を元に戻す制御を自動的に再開できる。
【００８１】
[第６実施形態]
図１５は、本実施形態での油圧回路図であり、図１６および図１７は、ブロック図およびフローである。本実施形態では、破砕機３０の上流側で分岐された位置に配置される作業機としてのズリ出しコンベア２６の油圧モータ３６に原材料判定手段としての圧力センサ５６を取り付け、ズリ出しコンベア２６の油圧モータ３６の負荷圧力値Ｐ３を検出することで、原材料の有無を判断する。図１５を参照すると、圧力センサ５６は、コントローラ７０に電気的に接続されている。
【００８２】
図１６、図１７のブロック図およびフローを参照し、第１実施形態と異なるフローについてのみ説明する。本実施形態のメモリ７２６には、排出コンベア５０の最小圧力値Ｐ０と、ズリ出しコンベア２６の最小圧力値Ｐ２とが記憶されている。最小圧力値Ｐ２は、原材料がズリ出しコンベア２６に積載されていないときの油圧モータ３６の負荷圧力である。その他の構成は、第１実施形態と同じであるため、ここでの説明は省略する。また、原材料判定手段としての圧力比較手段７２９は、圧力センサ５６にて検出した負荷圧力値Ｐ３と、メモリ７２６に記憶されている最小圧力値Ｐ２とを比較するものである。
【００８３】
Ｓ６１により、圧力比較手段７２９は、圧力センサ５６から負荷圧力値Ｐ３を一定時間検出し、この負荷圧力値Ｐ３とメモリ７２６に記憶されている最小圧力値Ｐ２とを比較する（Ｓ６１）。そして、圧力比較手段７２９は、一定時間、負荷圧力値Ｐ３が最小圧力値Ｐ２以下と判定された場合には、ズリ出しコンベア２６上に原材料が積載されていない状態であり、すなわちグリズリフィーダ２２に原材料が投入されていない状態である。この状態では、燃料噴射量制御手段７１１は、エンジン４９に噴射する燃料消費量を制御することで、デセル回転数ω０を維持し、（Ｓ１３）。前述のステップＳ１〜Ｓ３，Ｓ７，Ｓ８，Ｓ１０，Ｓ１１，Ｓ６１，Ｓ１３が繰り返される。
【００８４】
反対に、圧力比較手段７２９により、負荷圧力値Ｐ３が最小圧力値Ｐ２より大きいと判定された場合には、ズリ出しコンベア２６上に原材料が積載されている状態であり、すなわちグリズリフィーダ２２に原材料が投入されている状態である。燃料噴射量制御手段７１１は、燃料ダイヤル９１に設定されたエンジン回転数を読み出し、エンジン４９に噴射する燃料噴射量を制御する（Ｓ１）。この後は、前述のステップＳ２，Ｓ３，Ｓ７，Ｓ８，Ｓ１０，Ｓ１１，Ｓ６１，Ｓ１が繰り返される。
【００８５】
本実施形態によれば、ズリ用シュータ２５の下流に位置するズリ出しコンベア２６に圧力センサ５６を取り付けることで、ズリ用シュータ２５から未破砕の原材料が排出されているか否かを検出することで、グリズリフィーダ２２に原材料が投入されたか否かを検出でき、前記各実施形態と同様にエンジン回転数を元に戻す制御を自動的に再開できる。
【００８６】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００８７】
例えば、前記各実施形態での作業機速度制御手段として、エンジンの電子制御式燃料噴射装置、および／または可変容量型油圧ポンプの押しのけ容積制御装置（油圧ポンプ斜板の傾転角制御装置）を用いたが、作業機などの駆動油圧モータ２９，３５，３６，５５，６１に作動油を導く各コントロールバルブ１１２〜１１６のパイロット圧を電磁比例制御して、各油圧モータ２９，３５，３６，５５，６１に供給される作動油の流量を制御してもよい。
【００８８】
また、前記各実施形態での原材料判定手段として、加速度センサ２７、光電センサ８１、または圧力センサ５６を用いたが、グリズリフィーダ２２に重量を計量するセンサ、あるいは、作業機もしくは作業機を支持するフレームの上下動の変位を検出する位置センサないし速度センサを用いてもよい。さらに、作業機を支持するフレームの歪みを検出する歪みゲージを用いてもよい。
前記実施形態では、加速度センサ２７や光電センサ８１は、グリズリフィーダ２２に設けられたが、これに限定されず、グリズリフィーダ２２の上部に配置される作業機であるホッパ２４に設けられてもよい。
前記各実施形態での破砕物判定手段として、圧力センサ５１を用いたが、排出コンベア５０のキャリアローラを支持するブラケットに歪みゲージを用い、破砕物の有無を検出してもよい。
【００８９】
前記第１実施形態では、圧力センサ５１は、排出コンベア５０の油圧モータ５５の負荷圧力値Ｐ１を検出して、負荷圧力値Ｐ１と最小圧力値Ｐ０とを比較して破砕物の有無を判定していたが、油圧モータ５５の負荷圧力Ｐ１の偏差を検出して破砕物の有無を判定してもよい。この場合に、排出コンベア５０の油圧モータ５５の負荷圧力値Ｐ１の偏差は、負荷変動時に大きく、また、破砕物の有無に関わらず、負荷が一定となるときに小さくなる。すなわち、破砕機３０内の負荷が減少した後、負荷圧力値Ｐ１の偏差が所定値より小さいと、排出コンベア５０上に破砕物が無いと判定できる。
【００９０】
前記第２，３実施形態では、油圧ポンプ５２，５３の斜板５２Ａ，５３Ａの角度（傾転角）を調整することで、油圧ポンプ５２，５３を停止させていたが、停止させなくともよく、低回転で駆動するようにしてもよい。
また、前記第２，３実施形態では、吐出流量制御手段７２７は、油圧ポンプ５２，５３の吐出流量を制御していたが、油圧ポンプ５２，５３によって駆動される各油圧モータ２９，３５，３６，５５，６１を可変式にしてモータ回転数を制御してもよい。
【産業上の利用可能性】
【００９１】
本発明は、自走式破砕機に好適に利用できる。
【符号の説明】
【００９２】
１…自走式破砕機、２２…グリズリフィーダ（作業機）、２５…ズリ用シュータ（作業機）、２６…ズリ出しコンベア（作業機）、２７…原材料判定手段を構成する加速度センサ、２９，３５，３６，５５，６１…油圧モータ、３０…破砕機、４９…エンジン、５０…排出コンベア、５１…破砕物判定手段を構成する圧力センサ、５２，５３…油圧ポンプ、５６…原材料判定手段を構成する圧力センサ、５７…負荷変化率判定手段を構成する破砕機圧力センサ、７０…コントローラ、８１…原材料判定手段を構成する光電センサ、７１１…燃料噴射量制御手段（エンジン制御手段）、７２４…破砕物判定手段を構成する圧力比較手段、７２５…原材料判定手段を構成する加速度比較手段、７２７…吐出流量制御手段（作業機速度制御手段）、７２８…原材料判定手段を構成する光量判定手段、７２９…原材料判定手段を構成する圧力比較手段、７３０…負荷変化率判定手段を構成する破砕機負荷計算手段、７３１…負荷変化率判定手段を構成する破砕機負荷率比較手段。
【図１】
2009145033.tif 000003
【図２】
2009145033.tif 000004
【図３】
2009145033.tif 000005
【図４】
2009145033.tif 000006
【図５】
2009145033.tif 000007
【図６】
2009145033.tif 000008
【図７】
2009145033.tif 000009
【図８】
2009145033.tif 000010
【図９】
2009145033.tif 000011
【図１０】
2009145033.tif 000012
【図１１】
2009145033.tif 000013
【図１２】
2009145033.tif 000014
【図１３】
2009145033.tif 000015
【図１４】
2009145033.tif 000016
【図１５】
2009145033.tif 000017
【図１６】
2009145033.tif 000018
【図１７】
2009145033.tif 000019
【国際調査報告】
2009145033.tif 000020
2009145033.tif 000021
2009145033.tif 000022
2009145033.tif 000023